(57)【要約】      （修正有）【課題】菓子袋や食品袋などの、開封後に開口部を結束できる袋閉じ具付き袋の構造を簡素化し容易に製造し得て、開封前には取り扱いの邪魔にならず、開封した袋を再度封止する際にも袋閉じ具を別途手配する必要がなく、また、袋の溶着シール部分の箇所数に応じ、単数または複数の閉じ具を備えることができる閉じ具一体型袋を提供する。【解決手段】袋の製造時点で袋辺縁部の表裏を溶着または接着により細い帯状の溶着シール部分を形成し、その帯状の溶着シール部分に切り離し用のミシン目を設けて、溶着部分の一部幅部分を容易に切り離し可能とし、必要に応じこの帯状溶着シール部分の一部を切り離し、結束用の紐帯として活用する。【選択図】図２
0003206058.tif 000002
【実用新案登録請求の範囲】
【請求項１】
樹脂製袋で袋本体辺縁部の溶着シール部分にミシン目等を設け、溶着シール部の一部を切り離し可能な帯紐状閉じ具として備えた閉じ具一体型の袋。
【請求項２】
樹脂製袋の形成時に、袋本体の溶着シール部の一部にミシン目等を設けることで溶着シール部の一部を帯紐状閉じ具として袋本体部分の形成と同時に作り込める請求項１の閉じ具一体型の袋
【考案の詳細な説明】
【技術分野】
【０００１】本考案は樹脂製の袋本体と一体で製造でき、必要に応じ袋本体から切り離して使用可能な閉じ具を有する閉じ具一体型の袋に関する。
【背景技術】
【０００２】従来の閉じ具付き袋は別途用意した閉じ具を袋に追加付着させる構成となっている。【０００３】このため閉じ具の一部分を袋側面に付着させる別工程での閉じ具の取り付けが必要となる。【０００４】また、閉じ具両端は固定させていない構造となっており、閉じ具の未使用時に放任される端部は取り扱いに障害となる欠点があった。
【先行技術文献】
【特許文献】
【０００５】
【特許文献１】  特開２００１−２１３４５４
【考案の概要】
【考案が解決しようとする課題】
【０００６】本提案は袋本体と閉じ具とを同時に一体で成型ができることから、閉じ具の手配や、閉じ具追加工程の省略を可能としており、特許文献１にあるような袋本体に針金やプラスチックなどの様な閉じ具を別途手配し、また追加付着の工程が必要という従来の欠点をなくすものである。【０００７】また袋の開封前には閉じ具端部を固定してあるため、閉じ具未使用時の取り扱いでの閉じ具端部の放任による同梱の袋閉じ具どうしの絡みや閉じ具先端部での他の袋への傷害をなくすことができ取り扱い時の障害を軽減できる。
【課題を解決するための手段】
【０００８】樹脂製袋を形成する際、袋の辺縁部に袋封止のため単数または複数の溶着シールされた部分が形成されるが、袋形成と同時にこの溶着シール部分の長さ方向に沿い一定の幅でミシン目等を配し、溶着シール部分の幅の一部を、必要に応じ、ミシン目より本体袋から切り離すことで、溶着シール部の箇所数に応じた単数または複数の紐帯を得て袋閉じ具として使用できる【０００９】閉じ具一体型袋はビニル、軟質プラスチック、ポリエチレン他一体成型でき、溶着シール部分を有する袋すべてのものを範囲とする。また溶着シール部分は必要に応じ、袋製造時に別材補強、または、溶着シール幅を調整し、開口部の結束に十分な強度を保つ。
【考案の効果】
【００１０】以上の説明から明らかなように、本考案にあっては次に列挙する効果が得られる。
（イ）袋閉じ具を袋形成時に一体成型ができ、閉じ具を別途用意し、後付けする必要がない。【００１１】  （ロ）袋の開封前、または開口部結束不要時にも、閉じ具が固定されており、箱への梱包時他取り扱い等の邪魔にならない。【００１２】  （ハ）溶着シール部分を複数有する袋にあっては、複数の紐帯状閉じ具を形成することができ、より強固に開封部の結束が可能となり、袋の内容物の乾燥、汚染を防止できる。【００１３】  （二）袋辺縁の溶着シール部の一部から得られる紐帯状閉じ具は必要に応じミシン目より切り離して使用するが、紐帯状閉じ具の一部を完全には切り離さず袋本体に付随させておくことで閉じ具の再使用時における当該閉じ具の紛失を防ぐことができる。
【図面の簡単な説明】
【００１４】
【図１】破線部分から分離可能な袋開口部の溶着シール部分１点と袋側辺部の溶着シール部分２点からなる紐帯状閉じ具を備えた閉じ具一体型袋の正面図である。
【図２】袋辺縁部の溶着シール部分を結束用紐帯として一定幅で破線部分より切り離した状態の正面図である。
【図３】袋開口部の溶着シール部分を結束用紐帯として一定幅で破線部分より切り離した状態の正面図である。
【図４】袋辺縁部の溶着シール部からミシン目に沿い一定幅で切り離した紐帯を用い袋開口部封止のため結束した状態の立面図である。
【図５】袋開口部の溶着シール部からミシン目に沿い一定幅で切り離した紐帯を用い袋開口部封止のため結束した状態の立面図である。
【考案を実施するための形態】
【００１５】以下、本考案の実施の形態を図に基づいて説明する。
【実施例１】
【００１６】図１は閉じ具一体型袋１の溶着シール部分４及び５を切り離す前の状態であり、袋辺縁部の溶着シール部分には図上破線で示すとおり切り離しやすいようにミシン目を入れる。
【実施例２】
【００１７】図２は袋辺縁部の溶着シール部分５の一定幅を図上破線で示すミシン目３から２本の紐帯状閉じ具として切り離した状態だが、最上部までは切り離さず、開口部の溶着シール部４と袋本体部分１とのつなぎを残す。これによって切り離した結束に供する溶着シール部からなる紐帯の紛失を防ぎ繰り返し使用を可能とする。
【実施例３】
【００１８】図３は閉じ具一体型の袋１の開口部の溶着シール部分４を図上破線で示すミシン目３より切り離した状態で、上記辺縁部の紐帯状閉じ具と異なり、完全には切り離し分離した結束用紐帯状閉じ具１本として使用する場合の図である。
【実施例４】
【００１９】図４は袋切断ライン２より一度開封した閉じ具一体型袋の辺縁部の溶着シール部分５から一部切り離した紐帯７を用いて袋開口部を結束した図で、開口部を絞ったうえに切り離した溶着シール部分７を結束用紐帯として、開口部に巻き付けて結束し、袋の開口部の封止をした図である。
【実施例５】
【００２０】図５は袋切断ライン２より一度開封した閉じ具一体型袋の開口部溶着シール部分４から一部切り離した紐帯７を用い、袋開口部を結束した図で、上記同様開口部を絞ったうえ切り離した溶着シール部分を結束用紐帯７として、開口部に巻き付けて結束し、袋の開口部の封止をした図である。
【産業上の利用の可能性】
【００２１】本考案は菓子袋、食品袋等を製造する産業で利用される。
【符号の説明】
【００２２】１    閉じ具一体型袋本体部分
２    袋開封時の切断ライン箇所の表示
３    溶着シール部分の紐帯としての切り離しのためのミシン目ライン
４    開口部の溶着シール部分
５    袋辺縁部の溶着シール部分
６    袋本体の開口部分の切断ライン
７    紐帯状閉じ具としてとして切り離した溶着シール部分
【図１】
0003206058.tif 000003
【図２】
0003206058.tif 000004
【図３】
0003206058.tif 000005
【図４】
0003206058.tif 000006
【図５】
0003206058.tif 000007
【手続補正書】
【提出日】平成28年6月10日(2016.6.10)
【手続補正１】
【補正対象書類名】実用新案登録請求の範囲
【補正対象項目名】全文
【補正方法】変更
【補正の内容】
【実用新案登録請求の範囲】
【請求項１】
樹脂製袋で袋本体辺縁部の溶着シール部分にミシン目を設け、溶着シール部の一部を切り離し可能な帯紐状閉じ具として備えた閉じ具一体型の袋。
【請求項２】
樹脂製袋の形成時に、袋本体の溶着シール部の一部にミシン目を設けることで溶着シール部の一部を帯紐状閉じ具として袋本体部分の形成と同時に作り込める請求項１の閉じ具一体型の袋。